(57)【要約】【課題】  里山の近くの民家の軒下、木の枝等に、巣をつくっているスズメバチに襲われて、被害を受ける人は多い。人命が失われることもある。ハイキングや登山をする人、林業に従事する人にとって、飛来するスズメバチを的確に駆除できる方法が待望されていた。スズメバチ用の殺虫剤は知られているが、複数の襲来に、全てを殺すことは困難であった。人を襲うために接近中のスズメバチを撃退する方法が課題であった。【解決手段】  本技術は、接着剤の噴射によるものであり、羽に接着剤がつくことにより、広げている羽をたたませて、前羽と後羽を接着して、飛翔できなくすることにより目的を達成した。すなわち、スズメバチの飛翔能力を奪う方法で撃退するものである。溶剤系の接着剤の噴霧によりその溶剤は、いち早く乾燥して濃縮された液滴として接着剤が羽に残り、２枚の羽を接着させて、スズメバチが飛べなくなることで実現できた。【選択図】図２
2011160788.tif 000002
【特許請求の範囲】
【請求項１】
合成高分子系の接着剤、または天然高分子系の接着剤を、炭化水素系の溶剤に溶解し、気体ガスを噴射剤として用いてスプレー容器に詰めて所持し、襲ってくるスズメバチに向けて噴射して、自分の顔と頭の周りに接着剤の噴霧粒子のバリアーを形成し、同時にスズメバチの前後の羽を接着させて、飛翔能力を奪うことにより危害を避ける新規なスズメバチの駆除方法
【請求項２】
スチレン・ブタジエンゴム系の接着剤、ニトリルゴム系の接着剤、クロロプレン系の接着剤から選択された溶剤系の接着剤を、ヘキサン、ヘプタン、シクロヘキサンの炭化水素系溶剤に溶解し、プロパン、ジメチルエーテルを噴射剤として用いて、スプレー容器に詰めて所持し、襲ってくるスズメバチに向けて噴射する請求項１の新規なスズメバチの駆除方法
【請求項３】
合成高分子系の接着剤、または天然高分子系の接着剤を、エマルジョンとしてスプレー容器に詰めて所持し、襲ってくるスズメバチに向けて噴射して、自分の顔と頭の周りに接着剤の噴霧粒子のバリアーを形成し、飛翔能力を奪うことにより危害を避ける新規なスズメバチの駆除方法
【発明の詳細な説明】
【技術分野】
【０００１】  本発明は、人間を襲うスズメバチを駆除する方法に関する技術である。
【背景技術】
【０００２】  毎年、里山近くの民家の軒下、床下、木の枝、天井裏或いは森の中で、巣をつくっているスズメバチに襲われて、被害を受ける人は後を絶たない。ハイキングや登山中に、または里山での生活の中で、飛来するスズメバチを駆除或いは的確に撃退する手段がないため、人命が失われることもある。スズメバチ被害を防止する技術については、未完成であるといえる。【０００３】  公報テキスト検索により先行技術について調査した。揮発性液体成分と速効性の殺虫成分よりなる駆除剤を、スズメバチやその巣に噴霧し、スズメバチの行動を停止させる方法が開示されている（特許文献１、２、３、４、５）。【０００４】  防御服を着て、スズメバチの巣に接近して、スズメバチの出入口の穴に、樹脂をスプレーして瞬間的に穴を塞ぐ方法が開示されている。さらに、出口をふさいだ後、巣の外側から数箇所に穴を開けて、殺虫剤を巣の内部に噴射して、巣の中のスズメバチも殺す方法が記載されている。非常に危険な作業を伴うものである（特許文献６）。【０００５】  害虫防除エアゾール用として、多くの害虫と共に、スズメバチにも効果のある薬剤が開示されている（特許文献７）。【０００６】  スズメバチは黒いものを攻撃する習性があるところから黒色の板に粘着剤をつけたものを、巣の近くにぶら下げるようにした駆除器が開発されている（特許文献８）。【０００７】  また、殺虫剤を噴霧するものとは異なるものとしては、粘着剤を噴霧する特許が公開されている。公開特許では、粘着剤の開示がないが、市販されているアクリルゴムのような繰り返し使用できる粘着剤によるテストでは、スズメバチが再度飛行を開始することがあった（特許文献９）。【０００８】  特許公開公報フロントページ検索でも同様であり、以上の９件が、背景技術として検索できた。非特許文献においては、スズメバチに効果のある殺虫剤薬品の研究はいくつか見られるが、本発明に直接関連のある先行技術はなかった（非特許文献１）。
【先行技術文献】
【特許文献】
【０００９】
【特許文献１】特開２００２−３２２００４
【特許文献２】特開２００３−７３２１５
【特許文献３】特開２００３−１９２５０４
【特許文献４】特開２００４−２６９４０６
【特許文献５】特開２００８−１５６２３５
【特許文献６】特開２００４−１０５０９２
【特許文献７】特開２００８−２７３９４４
【特許文献８】特開２００７−３０６８２３
【特許文献９】特開２００７−１３５５４９
【非特許文献】
【００１０】
【非特許文献１】日本農薬学会誌２９巻、３１３頁（２００４）
【００１１】  これまでの背景技術では、スズメバチを殺傷する方法が採用されており、飛行を停止させる場合も粘着剤であるため、粘着性が弱い場合、再度飛行を開始して、完全な撃退にならない場合があった。人に危害を加えようとしているスズメバチのみならず、巣の中のスズメバチも殺すことをねらっている。【００１２】  本発明の技術では、登山やハイキング時に、人間に危害を与えようと近づいてきたスズメバチによる危害を防ぐために、その飛翔能力を永久に奪い、飛べなくする方法に特徴がある。数十人が列をなしてハイキングをする場合、再度飛行を許すと、多くのスズメバチの応援が加わり、多数の人間が襲われる危険性がある。
以下に説明する。
【発明の概要】
【発明が解決しようとする課題】
【００１３】  本発明で解決しようとする課題は、スズメバチが襲ってきた時に、先行技術のように、殺虫剤によって殺すのではなく、粘着剤で一時的に捕捉するのでもなく、スズメバチを完全に飛べなくする方法である。ハイキングや登山の途中で、スズメバチの巣を見つけたときには、近づかないように心掛け、大群に襲われないように、気をつけることが、まず重要である。刺激しないように気をつけても、周辺を偵察している少数のスズメバチが襲ってきた時の、危害の発生を防ぐために、その飛翔能力を奪い、飛べなくする技術に関するものである。
【課題を解決するための手段】
【００１４】  手段の第一は、襲ってきたスズメバチに向けて、スプレーによって接着剤を吹き付けて、羽を接着させて、羽による飛翔能力を奪う方法である。さらに重要なことは、人間が襲われる部位は、顔と頭であるから、その周辺に接着剤のバリアーを形成させるのが、最も効果があることが分った。バリアーを作っておけば、それを突き抜けて接近する時に、接着剤がスズメバチの羽に付着するからである。【００１５】  接着剤としては、合成高分子系接着剤、または天然高分子系接着剤から選択できる。中でもスチレン・ブタジエンゴム系、ニトリルゴム系、クロロプレン系等の溶剤系の高分子接着剤の効果が大きい。しかし、溶剤系に限定するものではなく、酢酸ビニール系、ウレタン系のような、合成高分子のエマルジョン接着剤も使用できる。【００１６】  溶剤系以外の接着剤としては、ポリビニルアルコール系、各種高分子系のエマルジョンも使用できる。水系のものは、溶剤系に比べて臭いが少ないメリットがあるが、乾燥に時間がかかりスズメバチに対して短時間の効果が望めない。【００１７】  スチレン・ブタジエンゴム系やクロロプレン系の接着剤は、接着強力が強く、ニトリルゴム系やアクリルゴム系の接着剤は、接着強力がやや弱いので、両者を混合して、スズメバチに適した接着強力のスプレーをつくることができる。これらの溶剤系の接着剤の方が、エマルジョンタイプより速乾性であり、スズメバチの飛翔能力を急速に奪うので、効果が早い。
【発明の効果】
【００１８】  ハイキングや登山の途中で、スズメバチに遭遇することを考えて、常時２００ミリリットル程度のスプレー接着剤を携帯することによりスズメバチの襲撃から身体を防衛することができる。山では、樹木以外にも穴の中に巣を作っていることもあり、防衛の意味で、本発明製品は、里山の近くの活動やハイキング時の必需品となると考えている。
【発明を実施するための形態】
【００１９】  図１に、スズメバチの模式図を示した。１が頭で、２が胴である。３が腹である。４は触角で左右に２本あり、足は５、６、７に６本ある。８と９の羽は左右に２枚ずつある。
【００２０】  スズメバチは、左右に前羽と後羽を各１枚ずつ合計４枚の羽をもっている。前羽と後羽は、飛ぶ時には、フックで連結し、飛翔しないときにはフックが外れて、２枚が分かれて閉じる習性がある。接着剤のスプレーによって、飛行中止のサインが出て２枚の羽の連結が外れて重なり、スプレーの液滴に含まれる接着剤で、羽がくっつき飛べなくなることがわかった。
【００２１】  溶剤系の接着剤を、ノルマルヘキサン、イソヘキサン、シクロヘキサン、ヘプタン等から選択した揮発性の液体に溶解し、プロパンとジメチルエーテルを噴射剤としてスプレー容器に詰めてスプレー接着剤を完成させた。
【実施例】
【００２２】  １５％濃度の酢酸ビニール系のエマルジョン水溶液を接着剤とし、プロパンガスを噴射剤として使用してスプレーを作成した。エマルジョンが破壊しない程度のアルコールを添加してスプレー缶に詰めた。里山の民家で、スズメバチが来たときに、顔と頭の周辺にバリアーを形成させるために噴霧した。スズメバチは直ぐには落ちないが、飛行を止めて逃げた。噴霧された接着剤エマルジョンの危険を察知したものと推定している。【００２３】  スチレン・ブタジエンゴム系接着剤を１０％濃度、ニトリルゴム系接着剤を５％濃度で、ヘキサン、シクロヘキサン、ヘプタンの等量混合物に溶解し、ジメチルエーテルとプロパンを噴射剤として使用して、１８０ミリリットルのスズメバチ用のスプレー接着剤を作成した。全量を噴射すると５平方メートル程度の面積の噴射量であるが、登山中に出くわすスズメバチの撃退には、１０回程度の使用ができる。【００２４】  図２は、スズメバチの４枚の羽の右側の２枚の部分を示す模式図である。スズメバチが襲ってきた時に、スズメバチをめがけて、スプレー接着剤を噴射すると、図２ａのように前羽と後羽が、後羽１０にあるフックにより連結して飛んでいた羽が、図２ｂのようにフックがはずれて、２枚の羽１１は、一部が重なって接着して飛翔能力を喪失し、スズメバチは落ちた。簡便なスズメバチ撃退用品として、効果があることを認めた。
【産業上の利用可能性】
【００２５】  ハイキング、登山等のアウトドア用品として、携帯に便利な細長いスプレー缶入りとして商品化すれば、リュックサックのサイドポケットに差し込んで、緊急時に取り出して噴射し、スズメバチの危害から逃れることができる。山岳スポーツ等のアウトドア用品として普及する可能性が大きい。
【図面の簡単な説明】
【００２６】
【図１】飛翔中の左右２枚ずつの羽が連結しているスズメバチを上から見た模式図である。
【図２】スズメバチの胴と右側の羽のみの模式図  ａ飛行中のスズメバチの右側２枚の前羽と後羽のフックによる連結模式図  ｂ飛翔が止まり、右側２枚の羽の重なった状態を示す模式図である。
【符号の説明】
【００２７】１  スズメバチの頭の模式図
２  スズメバチの胴の模式図
３  スズメバチの腹の模式図
４  スズメバチの触覚の模式図
５、６、７  スズメバチの足の模式図
８  スズメバチの前羽の模式図
９  スズメバチの後羽の模式図
１０  スズメバチが飛翔する時、前羽と後羽の連結状態の模式図
１１  スズメバチが飛翔を止めて接着剤で重なった羽の模式図、
【図１】
2011160788.tif 000003
【図２】
2011160788.tif 000004